【手続補正書】
【提出日】平成20年4月8日(2008.4.8)
【手続補正１】
【補正対象書類名】特許請求の範囲
【補正対象項目名】全文
【補正方法】変更
【補正の内容】
【特許請求の範囲】
【請求項１】
通信装置であって、
ネットワーク上の相手先通信装置を特定するための情報を記憶する記憶手段と、
前記記憶手段に記憶されている情報に基づいて、他の通信装置に関する情報を取得するための複数のプロトコルから少なくとも１つのプロトコルを選定する選定手段と、
ユーザが選択可能なネットワーク上の相手先通信装置として、前記選定手段で選定したプロトコルを有する通信装置の一覧を生成する生成手段と、
を有することを特徴とする通信装置。
【請求項２】
前記選定手段によるプロトコルの選定に基づいて、実施を停止するプロトコルを決定する決定手段を更に有することを特徴とする請求項１記載の通信装置。
【請求項３】
前記決定手段により決定したプロトコルの送信処理を停止することを特徴とする請求項２記載の通信装置。
【請求項４】
前記選定手段は、前記記憶手段に記憶されている通信装置の中で、最も多くの通信装置が有するプロトコルを選定することを特徴とする請求項１又は２に記載の通信装置。
【請求項５】
前記選定手段は、ユーザによって予め特定された通信装置のプロトコルを選定することを特徴とする請求項１又は２に記載の通信装置。
【請求項６】
前記記憶手段に前記情報が記憶されていない場合、前記通信装置が実行可能であり、他の通信装置に関する情報を取得するための複数のプロトコルの全てを停止する停止手段を有することを特徴とする請求項１に記載の通信装置。
【請求項７】
前記相手先通信装置に関する情報を取得する取得手段を有し、
前記記憶手段は、前記取得手段により取得した情報を記憶することを特徴とする請求項１に記載の通信装置。
【請求項８】
通信装置であって、
ネットワーク上の他の通信装置に関する情報を、ネットワークを介して収集する収集手段と、
ネットワーク上の相手先通信装置を特定するための情報を記憶する記憶手段と、
前記収集手段による収集結果と、前記記憶手段に記憶されている情報と、に基づいて、ネットワーク上の他の通信装置に関する情報を取得するための複数のプロトコルのうち、実行を停止するプロトコルを決定する決定手段と、
を有することを特徴とする通信装置。
【請求項９】
前記決定手段は、前記収集手段により情報を収集できた他の通信装置のうち、予めユーザによって選択された通信装置が使用するプロトコルを実行し、他のプロトコルの実行を停止するよう決定することを特徴とする請求項８記載の通信装置。
【請求項１０】
前記決定手段は、前記収集手段により情報を収集できた他の通信装置のうち、前記記憶手段に記憶されているプロトコルの数に基づいて、停止するプロトコルを決定することを特徴とする請求項８記載の通信装置。
【請求項１１】
前記収集手段による収集結果と、前記記憶手段に記憶されている情報と、に基づいて、ネットワーク上に存在する他の通信装置を表示する表示手段を有することを特徴とする請求項８記載の通信装置。
【請求項１２】
前記決定手段により実行の停止を決定したプロトコルの実行を停止する停止手段を有することを特徴とする請求項８記載の通信装置。
【請求項１３】
前記停止手段は、前記プロトコルの送信処理を停止することを特徴とする請求項１２記載の通信装置。
【請求項１４】
通信装置のプロトコル選定方法であって、
ネットワーク上の相手先通信装置を特定するための情報を記憶する記憶工程と、
前記記憶工程において記憶された情報に基づいて、他の通信装置に関する情報を取得するための複数のプロトコルから少なくとも１つのプロトコルを選定する選定工程と、
ユーザが選択可能なネットワーク上の相手先通信装置として、前記選定工程で選定したプロトコルを有する通信装置の一覧を生成する生成工程と、
を有することを特徴とするプロトコル選定方法。
【請求項１５】
通信装置のプロトコル選定方法であって、
ネットワーク上の他の通信装置に関する情報を、ネットワークを介して収集する収集工程と、
ネットワーク上の相手先通信装置を特定するための情報を記憶する記憶工程と、
前記収集工程における収集結果と、前記記憶工程において記憶された情報と、に基づいて、ネットワーク上の他の通信装置に関する情報を取得するための複数のプロトコルのうち、実行を停止するプロトコルを決定する決定工程と、
を有することを特徴とするプロトコル選定方法。
【請求項１６】
コンピュータに請求項１４又は１５に記載のプロトコル選定方法の各工程を実行させるためのプログラム。
【手続補正２】
【補正対象書類名】明細書
【補正対象項目名】発明の名称
【補正方法】変更
【補正の内容】
【発明の名称】通信装置及びプロトコル選定方法
【手続補正３】
【補正対象書類名】明細書
【補正対象項目名】０００１
【補正方法】変更
【補正の内容】
【０００１】
本発明は、接続先情報を取得するための複数のプロトコルを有する通信装置及びプロトコル選定方法に関する。
【手続補正４】
【補正対象書類名】明細書
【補正対象項目名】０００６
【補正方法】変更
【補正の内容】
【０００６】
本発明の目的は、接続先情報を取得するための複数のプロトコルを有する場合に、ユーザの利便性を向上させることである。また、本発明の他の目的は、ネットワークから情報を取得できた機器を表示する場合に、ユーザに使い易い表示を提供することである。また、本発明の更なる目的は、接続先情報を取得するための複数のプロトコルを有する場合に、そのプロトコル処理の負荷を軽減することである。
【手続補正５】
【補正対象書類名】明細書
【補正対象項目名】０００７
【補正方法】変更
【補正の内容】
【０００７】
本発明は、通信装置であって、ネットワーク上の相手先通信装置を特定するための情報を記憶する記憶手段と、前記記憶手段に記憶されている情報に基づいて、他の通信装置に関する情報を取得するための複数のプロトコルから少なくとも１つのプロトコルを選定する選定手段と、ユーザが選択可能なネットワーク上の相手先通信装置として、前記選定手段で選定したプロトコルを有する通信装置の一覧を生成する生成手段とを有することを特徴とする。
また、本発明は、通信装置であって、ネットワーク上の他の通信装置に関する情報を、ネットワークを介して収集する収集手段と、ネットワーク上の相手先通信装置を特定するための情報を記憶する記憶手段と、前記収集手段による収集結果と、前記記憶手段に記憶されている情報と、に基づいて、ネットワーク上の他の通信装置に関する情報を取得するための複数のプロトコルのうち、実行を停止するプロトコルを決定する決定手段とを有することを特徴とする。
【手続補正６】
【補正対象書類名】明細書
【補正対象項目名】０００８
【補正方法】変更
【補正の内容】
【０００８】
本発明は、通信装置のプロトコル選定方法であって、ネットワーク上の相手先通信装置を特定するための情報を記憶する記憶工程と、前記記憶工程において記憶された情報に基づいて、他の通信装置に関する情報を取得するための複数のプロトコルから少なくとも１つのプロトコルを選定する選定工程と、ユーザが選択可能なネットワーク上の相手先通信装置として、前記選定工程で選定したプロトコルを有する通信装置の一覧を生成する生成工程とを有することを特徴とする。
また、本発明は、通信装置のプロトコル選定方法であって、ネットワーク上の他の通信装置に関する情報を、ネットワークを介して収集する収集工程と、ネットワーク上の相手先通信装置を特定するための情報を記憶する記憶工程と、前記収集工程における収集結果と、前記記憶工程において記憶された情報と、に基づいて、ネットワーク上の他の通信装置に関する情報を取得するための複数のプロトコルのうち、実行を停止するプロトコルを決定する決定工程とを有することを特徴とする。
【手続補正７】
【補正対象書類名】明細書
【補正対象項目名】０００９
【補正方法】変更
【補正の内容】
【０００９】
本発明によれば、相手先通信装置を特定するための情報に基づいて、接続先情報を取得するための複数のプロトコルから少なくとも１つのプロトコルを選定し、選定したプロトコルを有する通信装置の一覧を生成することにより、ユーザが相手先通信装置を容易に選択でき、ユーザの利便性を向上させることができる。